(57)【要約】      （修正有）【課題】温熱治療と冷却治療を選択的に行うことができ、かつ温熱治療と冷却治療を同時に行うことも可能とする温熱冷却装置を提供する。【解決手段】圧縮機２１１，２１２と、減圧機２３１，２３２と、圧縮機側から熱媒体が送られた場合には熱媒体を液化する凝縮器として機能し、減圧機側から熱媒体が送られた場合には熱媒体を気化する蒸発器として機能する第１熱交換器２４１，２４２及び第２熱交換器２２１，２２２と、熱媒体の流れの向きを切り替える４方向弁２５１，２５２とがそれぞれ配設された複数の熱媒体循環路２０１，２０２と、圧縮機を同時に駆動可能な駆動源４００と、被加熱部の加熱または被冷却部の冷却に用いられると共に、それぞれ内部に熱媒体通路が設けられた第１加熱冷却部材３３１，第２加熱冷却部材３３２と、各加熱冷却部材の熱媒体通路に対して、少なくとも一つの第１熱交換器により熱交換がなされた熱媒体を送り込む配管とを備える。【選択図】  図１
2006230940.tif 000002
【特許請求の範囲】
【請求項１】
気化された熱媒体を圧縮する圧縮機と、液化された熱媒体を減圧する減圧機と、これら圧縮機と減圧機を結ぶ２つの経路に各々設けられると共に、圧縮機側から熱媒体が送られた場合には熱媒体を液化する凝縮器として機能し、減圧機側から熱媒体が送られた場合には熱媒体を気化する蒸発器として機能する第１熱交換器及び第２熱交換器と、これら第１熱交換器と第２熱交換器を通る熱媒体の流れの向きを切り替える切替弁とがそれぞれ配設された複数の熱媒体循環路と、
各熱媒体循環路に設けられた複数の圧縮機を同時に駆動可能な駆動源と、
被加熱部の加熱または被冷却部の冷却に用いられると共に、それぞれ内部に熱媒体通路が設けられた複数の加熱冷却部材と、
各加熱冷却部材の熱媒体通路に対して、少なくとも一つの第１熱交換器により熱交換がなされた熱媒体を送り込むことを可能とする配管と、を備えることを特徴とする温熱冷却装置。
【請求項２】
複数の加熱冷却部材に対してそれぞれ一つの第１熱交換器から熱媒体を送り込む流路構成、または一つの加熱冷却部材に対して複数の第１熱交換器を通るようにして熱媒体を送り込む流路構成に変更できるように、流路が変更可能に構成されていることを特徴とする請求項１に記載の温熱冷却装置。
【請求項３】
前記加熱冷却部材は、内部に熱媒体通路が張りめぐらされたシートであることを特徴とする請求項１または２に記載の温熱冷却装置。
【発明の詳細な説明】
【技術分野】
【０００１】
本発明は、温熱治療や冷却治療などに用いることのできる温熱冷却装置に関するものである。
【背景技術】
【０００２】
温熱治療を行うために患部を加熱する温熱装置や、冷却治療を行うために患部を冷却する冷却装置が知られている（例えば、特許文献１，２参照）。これらの装置は、温熱治療か冷却治療のいずれか一方の治療しか行うことができない。そのため、両方の治療を可能とするためには、温熱装置と冷却装置を揃える必要がある。
【０００３】
このように、温熱装置と冷却装置のいずれも揃える場合には、コストが増えるばかりでなく、装置の設置スペースが限られた場所（例えば救急車内，飛行機内あるいは電車内など応急治療を施す場所）では、設置自体が困難な場合もある。
【０００４】
その他、関連する技術としては、特許文献３に開示されたものがある。
【特許文献１】特開２０００−１７６０２６号公報
【特許文献２】特開２００３−１２６１３９号公報
【特許文献３】特開平７−２４０００号公報
【発明の開示】
【発明が解決しようとする課題】
【０００５】
本発明の目的は、温熱治療と冷却治療を選択的に行うことができ、かつ温熱治療と冷却治療を同時に行うことも可能とする温熱冷却装置を提供することにある。
【課題を解決するための手段】
【０００６】
本発明は、上記課題を解決するために以下の手段を採用した。
【０００７】
すなわち、本発明の温熱冷却装置は、
気化された熱媒体を圧縮する圧縮機と、液化された熱媒体を減圧する減圧機と、これら圧縮機と減圧機を結ぶ２つの経路に各々設けられると共に、圧縮機側から熱媒体が送られた場合には熱媒体を液化する凝縮器として機能し、減圧機側から熱媒体が送られた場合には熱媒体を気化する蒸発器として機能する第１熱交換器及び第２熱交換器と、これら第１熱交換器と第２熱交換器を通る熱媒体の流れの向きを切り替える切替弁とがそれぞれ配設された複数の熱媒体循環路と、
各熱媒体循環路に設けられた複数の圧縮機を同時に駆動可能な駆動源と、
被加熱部の加熱または被冷却部の冷却に用いられると共に、それぞれ内部に熱媒体通路が設けられた複数の加熱冷却部材と、
各加熱冷却部材の熱媒体通路に対して、少なくとも一つの第１熱交換器により熱交換がなされた熱媒体を送り込むことを可能とする配管と、を備えることを特徴とする。
【０００８】
本発明によれば、切替弁により熱媒体の流れの向きを切り替えることで、第１熱交換器の機能を凝縮器か蒸発器のいずれかに変更することができる。これにより、加熱冷却部材に送られる熱媒体は、第１熱交換器が凝縮器として機能する場合には暖められ、第１熱交換器が蒸発器として機能する場合には冷やされるので、加熱冷却部材を加熱用あるいは冷却用のいずれかに選択的に用いることができる。また、第１熱交換器及び加熱冷却部材は複数設けられているので、複数の箇所を同時に加熱したり、複数の箇所を同時に冷却したり、複数の箇所に対して加熱と冷却を同時に行うなど、様々な使用方法が可能となる。
【０００９】
複数の加熱冷却部材に対してそれぞれ一つの第１熱交換器から熱媒体を送り込む流路構成、または一つの加熱冷却部材に対して複数の第１熱交換器を通るようにして熱媒体を送り込む流路構成に変更できるように、流路が変更可能に構成されているとよい。
【００１０】
このように構成すれば、前者の流路構成を用いた場合には、複数の加熱冷却部材を同時に用いることができ、後者の流路構成を用いた場合には、ある一つの加熱冷却部材の加熱効率または冷却効率を高めることができる。
【００１１】
前記加熱冷却部材は、内部に熱媒体通路が張りめぐらされたシートであるとよい。
【００１２】
なお、上記各構成は、可能な限り組み合わせて採用し得る。
【発明の効果】
【００１３】
以上説明したように、本発明によれば、温熱治療と冷却治療を選択的に行うことができ、かつ温熱治療と冷却治療を同時に行うこともできる。
【発明を実施するための最良の形態】
【００１４】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【実施例】
【００１５】
図１〜図４を参照して、本発明の実施例に係る温熱冷却装置について説明する。図１及び図２は本発明の実施例に係る温熱冷却装置の回路図（流体（熱媒体）通路図）である。また、図３及び図４は本発明の実施例に係る温熱冷却装置の基本的な構成部分の回路図（流体（熱媒体）通路図）である。
【００１６】
本実施例では、人体の患部を、部分的に加熱する温熱治療や部分的に冷却する冷却治療に好適に用いられる医療用の温熱冷却装置を例にして説明する。
【００１７】
＜基本的構成＞
本発明の実施例に係る温熱冷却装置全体の説明に先立って、当該装置に含まれる基本的な構成部分について、図３及び図４を参照して説明する。なお、図３は冷却治療に用いる場合を示し、図４は温熱治療に用いる場合を示している。
【００１８】
基本的構成部１００は、１次側（駆動源側）の熱媒体循環路２００と、２次側の熱媒体循環路３００とを備えている。なお、１次側の熱媒体循環路２００を流れる熱媒体と２次側の熱媒体循環路３００を流れる熱媒体は別個独立に循環するように構成されている。また、熱媒体の具体例としては、冷却水を挙げることができる。
【００１９】
１次側の熱媒体循環路２００には、気化された熱媒体を圧縮する圧縮機２１０と、液化された熱媒体を減圧する減圧機２３０と、これら圧縮機２１０と減圧機２３０を結ぶ２つの経路に各々設けられた第１熱交換器２４０及び第２熱交換器２２０と、これら第１熱交換器と第２熱交換器を通る熱媒体の流れの向きを切り替える切替弁としての４方向弁２５０が配設されている。また、第２熱交換器２２０の近くには、第２熱交換器２２０の熱を逃がすための排熱ファン２６０が備えられている。
【００２０】
第１熱交換器２４０及び第２熱交換器２２０は、圧縮機２１０側から熱媒体が送られた
場合には熱媒体を液化する凝縮器として機能し、減圧機２３０側から熱媒体が送られた場合には熱媒体を気化する蒸発器として機能する。また、４方向弁２５０における弁の開閉を切り替える方式は、電磁式または手動式のいずれを用いても良い。
【００２１】
２次側の熱媒体循環路３００には、熱媒体が貯留されるタンク３２０と、タンク３２０内の熱媒体を第１熱交換器２４０に送り込むポンプ３１０と、第１熱交換器２４０により熱交換がなされた熱媒体が送り込まれる加熱冷却部材３３０が配設されている。
【００２２】
本実施例に係る加熱冷却部材３３０は、流体（熱媒体）が流通可能に構成された繊維（通水繊維）が、内部に張りめぐらされたシートで構成される。このシートの具体的な態様（形状）としては、例えば、平面状のもの，手足などに嵌れるように筒状にしたもの，衣服状にしたもの（全体を衣服の形状としたもののほか、衣服の一部に利用したものも含む）を挙げることができる。
【００２３】
＜＜冷却治療に用いる場合＞＞
図３を参照して、温熱冷却装置の基本的構成を冷却治療に用いる場合について説明する。冷却治療に用いる場合、１次側の熱媒体循環路２００においては、図３中の矢印で示すように、圧縮機２１０，第２熱交換器２２０，減圧機２３０，第１熱交換器２４０，圧縮機２１０・・・の順で熱媒体が循環するように４方向弁２５０を設定する。
【００２４】
これにより、低温低圧の気化された熱媒体は、圧縮機２１０により圧縮されて、高温高圧の気体となって第２熱交換器２２０に送られる。そして、高温高圧の気化された熱媒体は、第２熱交換器２２０において、排熱ファン２６０により熱が奪われて、液化される。すなわち、第２熱交換器２２０は凝縮器として機能する。これにより、熱媒体は、中温中圧の液体となって、減圧機２３０に送られる。そして、中温中圧の液化された熱媒体は、減圧機２３０によって減圧され、気化され易い状態にされた後に、第１熱交換器２４０に送られて、気化される。すなわち、第１熱交換器２４０は蒸発器として機能する。第１熱交換器２４０により低温低圧の気体となった熱媒体は再び圧縮機２１０に送られる。
【００２５】
一方、２次側の熱媒体循環路３００を循環する熱媒体は、第１熱交換器２４０において、１次側の熱媒体循環路２００を循環する熱媒体が気化することによる吸熱作用によって熱が奪われる。そして、第１熱交換器２４０で冷却された熱媒体は、加熱冷却部材３３０に送られる。このように、１次側の熱媒体循環路２００における熱媒体の循環、及び２次側の熱媒体循環路３００における熱媒体の循環により、循環動作中は、加熱冷却部材３３０には常に冷却された熱媒体が送られ、加熱冷却部材３３０を低温に保つことができる。従って、この加熱冷却部材３３０を患部に当ておくことで、冷却治療を施すことができる。
【００２６】
＜＜温熱治療に用いる場合＞＞
図４を参照して、温熱冷却装置の基本的構成を温熱治療に用いる場合について説明する。温熱治療に用いる場合、１次側の熱媒体循環路２００においては、図４中の矢印で示すように、圧縮機２１０，第１熱交換器２４０，減圧機２３０，第２熱交換器２２０，圧縮機２１０・・・の順で熱媒体が循環するように４方向弁２５０を設定する。
【００２７】
これにより、低温低圧の気化された熱媒体は、圧縮機２１０により圧縮されて、高温高圧の気体となって第１熱交換器２４０に送られる。そして、高温高圧の気化された熱媒体は、第１熱交換器２４０において、２次側の熱媒体循環路３００を循環する熱媒体により熱が奪われて、液化される。すなわち、第１熱交換器２４０は凝縮器として機能する。これにより、熱媒体は、中温中圧の液体となって、減圧機２３０に送られる。そして、中温中圧の液化された熱媒体は、減圧機２３０によって減圧され、気化され易い状態にされた
後に、第２熱交換器２２０に送られて、気化される。すなわち、第２熱交換器２２０は蒸発器として機能する。第２熱交換器２２０により低温低圧の気体となった熱媒体は再び圧縮機２１０に送られる。
【００２８】
一方、２次側の熱媒体循環路３００を循環する熱媒体は、第１熱交換器２４０において、１次側の熱媒体循環路２００を循環する熱媒体から熱を奪う。そして、第１熱交換器２４０で加温された熱媒体は、加熱冷却部材３３０に送られる。このように、１次側の熱媒体循環路２００における熱媒体の循環、及び２次側の熱媒体循環路３００における熱媒体の循環により、循環動作中は、加熱冷却部材３３０には常に加温された熱媒体が送られ、加熱冷却部材３３０を高温に保つことができる。従って、この加熱冷却部材３３０を患部に当ておくことで、温熱治療を施すことができる。
【００２９】
＜温熱冷却装置の全体構成＞
本発明の実施例に係る温熱冷却装置全体の構成について、特に、図１及び図２を参照して説明する。本発明の実施例に係る温熱冷却装置１０１は、概略、一部の構成が共有されている点を除き、上述の基本的構成を２つ組み合わせた構成である。以下、説明の便宜上、２つの１次側の熱媒体循環路に相当する循環路ついて、一方を第１熱媒体循環路２０１，他方を第２熱媒体循環路２０２と称する。なお、上述した基本的構成における２次側の熱媒体循環路に関しては、以下に説明するように、流路構成（配管の接続構成）によっては、基本的構成における２次側の熱媒体循環路とは異なる構成となるので、特に名称は付与しない。
【００３０】
本実施例では、接続する配管の組み合わせが変更可能に構成されており、これにより流路構成が変更可能に構成されている。すなわち、２つの加熱冷却部材に対してそれぞれ一つの第１熱交換器から熱媒体を送り込む流路構成（配管の接続構成）と、一つの加熱冷却部材に対して２つの第１熱交換器を通るようにして熱媒体を送り込む流路構成（配管の接続構成）に変更することができる。図１は前者の場合の回路図を示し、図２は後者の場合の回路図を示している。
【００３１】
本発明の実施例に係る温熱冷却装置１０１は、第１熱媒体循環路２０１と第２熱媒体循環路２０２を備えている。第１熱媒体循環路２０１は、上述の基本的構成で説明した通り、圧縮機２１１，減圧機２３１，第１熱交換器２４１，第２熱交換器２２１、及び４方向弁２５１が配設されており、第２熱交換器２２１の近くには、排熱ファン２６１が備えられている。また、第２熱媒体循環路２０２も同様に、圧縮機２１２，減圧機２３２，第１熱交換器２４２，第２熱交換器２２２、及び４方向弁２５２が配設されており、第２熱交換器２２２の近くには、排熱ファン２６２が備えられている。
【００３２】
そして、本発明の実施例に係る温熱冷却装置１０１は、圧縮機２１１，２１２を同時に駆動可能な単一の駆動源４００を備えている。この駆動源４００の具体例としては、インバーター電動機を挙げることができるが、勿論、適宜その他の公知技術を採用することもできる。また、駆動源４００は、出力を調整可能なものを用いると好適である。これにより、圧縮機２１１，２１２の駆動力を調整できるため、加熱冷却部材による加熱温度や冷却温度を調整できる。
【００３３】
また、本発明の実施例に係る温熱冷却装置１０１は、単一のタンク３２５と、タンク３２５内の熱媒体を圧送する２つのポンプ（以下、便宜上、第１ポンプ３１１，第２ポンプ３１２と称する）と、２つの加熱冷却部材（以下、便宜上、第１加熱冷却部材３３１，第２加熱冷却部材３３２と称する）とを備えている。
【００３４】
そして、本実施例においては、第１熱媒体循環路２０１側の第１熱交換器２４１または
第２熱媒体循環路２０２側の第１熱交換器２４２により熱交換がなされた熱媒体を第１加熱冷却部材３３１または第２加熱冷却部材３３２に送り込むための通路の構成（流路構成）を変更できるように、接続する配管の組み合わせを変更するための６つの接続部材（便宜上、第１接続部材５０１，第２接続部材５０２，第３接続部材５０３，第４接続部材５０４，第５接続部材５０５，第６接続部材５０６と称する）が設けられている。接続部材の具体例としては、カプラ接手を挙げることができるが、勿論、適宜その他の公知技術を採用することもできる。
【００３５】
＜＜２つの加熱冷却部材を用いる場合＞＞
２つの加熱冷却部材を用いる場合について、図１を参照して説明する。図１は２つの加熱冷却部材に対してそれぞれ一つの第１熱交換器から熱媒体を送り込む流路構成を採用した場合の回路図を示している。
【００３６】
図１に示すような流路構成を採用する場合には、第１接続部材５０１と第２接続部材５０２，第３接続部材５０３と第４接続部材５０４、及び第５接続部材５０５と第６接続部材５０６がそれぞれ接続される。これにより、タンク３２５から第１ポンプ３１１により圧送される熱媒体は、第１熱媒体循環路２０１側の第１熱交換器２４１を通って、第１加熱冷却部材３３１に送られる。一方、タンク３２５から第２ポンプ３１２により圧送される熱媒体は、第２熱媒体循環路２０２側の第１熱交換器２４２を通って、第２加熱冷却部材３３２に送られる。
【００３７】
このように図１に示す流路構成の場合には、上述の基本的構成を単純に２つ組み合わせたような構成である。この流路構成の場合には、第１加熱冷却部材３３１と第２加熱冷却部材３３２をそれぞれ治療用に用いることができ、両者を温熱治療に用いることもできるし、両者を冷却治療に用いることもできるし、一方を温熱治療に用い、他方を冷却治療に用いることもできる。
【００３８】
図１では、その一例として、第１加熱冷却部材３３１を冷却治療に用い、第２加熱冷却部材３３２を温熱治療に用いる場合を示している。すなわち、第１熱媒体循環路２０１と、タンク３２５，第１ポンプ３１１，第１熱交換器２４１及び第１加熱冷却部材３３１を通る循環路における熱媒体の流れ方を、上記図３を参照して説明したものと同一にし、第２熱媒体循環路２０２と、タンク３２５，第２ポンプ３１２，第１熱交換器２４２及び第２加熱冷却部材３３２を通る循環路における熱媒体の流れ方を、上記図４を参照して説明したものと同一にしている。これにより、第１加熱冷却部材３３１を冷却治療に用い、第２加熱冷却部材３３２を温熱治療に用いることができる点については、上述の通りであるので、その説明は省略する。
【００３９】
なお、第１加熱冷却部材３３１と第２加熱冷却部材３３２の両者を温熱治療に用いる場合には、図１に示す構成のうち、４方向弁２５１の切り替えによって、第１熱媒体循環路２０１における熱媒体の流れの向きを逆にし、第１加熱冷却部材３３１と第２加熱冷却部材３３２の両者を冷却治療に用いる場合には、図１に示す構成のうち、４方向弁２５２の切り替えによって、第２熱媒体循環路２０２における熱媒体の流れの向きを逆にすれば良いことは言うまでもない。
【００４０】
以上のように、図１に示す流路構成を用いる場合には、２つの加熱冷却部材をそれぞれ温熱治療または冷却治療に用いることができる。従って、２箇所に対して同時に温熱治療を施すこともできるし、２箇所に対して同時に冷却治療を施すこともできるし、ある箇所に対しては温熱治療を、他の箇所に対しては冷却治療を同時に施すこともできる。
【００４１】
例えば、近年、心筋梗塞や脳障害等に対して、冷却治療（脳低温療法など）による蘇生
率が向上することが注目されており、本発明の実施例に係る温熱冷却装置１０１を、そのような治療に用いることができる。また、スポーツなどにおける人体の損傷の場合には、冷却治療により効果的に治療できるものや、温熱治療により効果的に治療できるものがあり、本発明の実施例に係る温熱冷却装置１０１を用いれば、いずれか一方の治療を施すこともできるし、両方の治療を同時に施すこともできる。このように、１台の装置で、温熱治療も冷却治療も行えるため、装置の設置スペースが限られた場所（例えば救急車内，飛行機内あるいは電車内など応急治療を施す場所）でも有効に用いることができる。
【００４２】
＜＜１つの加熱冷却部材のみを用いる場合＞＞
１つの加熱冷却部材のみを用いる場合について、図２を参照して説明する。図２は一つの加熱冷却部材に対して２つの第１熱交換器を通るようにして熱媒体を送り込む流路構成を採用した場合の回路図を示している。
【００４３】
図２に示すような流路構成を採用する場合には、第１接続部材５０１と第４接続部材５０４，第２接続部材５０２と第５接続部材５０５、及び第３接続部材５０３と第６接続部材５０６がそれぞれ接続される。これにより、タンク３２５から第１ポンプ３１１により圧送される熱媒体は、第１熱媒体循環路２０１側の第１熱交換器２４１、及び第２熱媒体循環路２０２側の第１熱交換器２４２を通って、第１加熱冷却部材３３１に送られる。一方、タンク３２５から第２ポンプ３１２により圧送される熱媒体は、いずれの第１熱交換器を通ることなく、第２加熱冷却部材３３２に送られる。
【００４４】
このように図２に示す流路構成の場合には、第１加熱冷却部材３３１のみを温熱治療または冷却治療に用いることができる。図２では、その一例として、第１加熱冷却部材３３１を冷却治療に用いる場合を示している。すなわち、第１熱媒体循環路２０１及び第２熱媒体循環路２０２における熱媒体の流れ方を、上記図３を参照して説明したものと同一にしている。これにより、第１加熱冷却部材３３１を冷却治療に用いることができる点については、上述した基本的構成の場合と同様である。
【００４５】
ただし、図２に示す流路構成の場合には、熱媒体は、第１熱媒体循環路２０１側の第１熱交換器２４１と、第２熱媒体循環路２０２側の第１熱交換器２４２の両方を通ってから第１加熱冷却部材３３１に送られる。従って、第１加熱冷却部材３３１を含む循環路を流れる熱媒体は上述の構成の場合に比べて、約２倍の効率で冷却される。一方、第２加熱冷却部材３３２を含む循環路を流れる熱媒体は第１熱交換器による熱交換は行われない。
【００４６】
なお、第１加熱冷却部材３３１を温熱治療に用いる場合には、図１に示す構成のうち、４方向弁２５１，２５２の切り替えによって、第１熱媒体循環路２０１における熱媒体の流れの向き、及び第２熱媒体循環路２０２における熱媒体の流れの向きをいずれも逆にすれば良いことは言うまでもない。また、流路構成を変更する（対称的に変更する）ことによって、第２加熱冷却部材３３２のみを温熱治療または冷却治療に用いることができることも言うまでもない。また、本実施例では、第２加熱冷却部材３３２側にも第２ポンプ３１２により熱媒体を送っているが、第２加熱冷却部材３３２は治療に用いないため、第２ポンプ３１２を停止させて、第２加熱冷却部材３３２には熱媒体を送り込まないようにしても良い。
【００４７】
以上のように、図２に示す流路構成を用いる場合には、一つの加熱冷却部材を、加熱効率または冷却効率を高めて（約２倍にして）用いることができる。従って、治療に緊急性を必要とする場合や、１箇所に対して温熱治療または冷却治療を優先的に施したい場合や、１箇所のみ治療を施せばよい場合などに有効である。
【００４８】
＜その他＞
上記実施例では、流路構成を変更可能にするための構成として、カプラ接手などの接続部材を用いて、手動により、接続する配管の組み合わせを変更する場合を例にして説明した。しかしながら、流路構成を変更可能にするための構成としては、これに限るものではない。例えば、第１加熱冷却部材３３１や第２加熱冷却部材３３２を通る循環路の構成を工夫して、流路切り替え弁などの電磁式の弁により熱媒体が流れる流路を切り替える構成を採用することもできる。
【００４９】
その一例を、図５及び図６を参照して説明する。図５及び図６は本発明の実施例に係る温熱冷却装置の変形例を示す回路図（流体（熱媒体）通路図）である。なお、図５は２つの加熱冷却部材に対してそれぞれ一つの第１熱交換器から熱媒体を送り込む流路構成を示し、図６は一つの加熱冷却部材に対して２つの第１熱交換器を通るようにして熱媒体を送り込む流路構成を示している。なお、第１熱媒体循環路２０１と第２熱媒体循環路２０２に関しては上記の場合と同様であるので、図５及び図６では簡略化して示している。
【００５０】
図５及び図６に示すように、２つのソレノイドバルブ（以下、便宜上、第１ソレノイドバルブ６０１，第２ソレノイドバルブ６０２と称する）を備えた配管構成とする。
【００５１】
図示のような配管構成を採用することにより、第１ソレノイドバルブ６０１と第２ソレノイドバルブ６０２のいずれもＯＦＦとすれば、図５に示すように、第１ポンプ３１１により圧送される熱媒体は、第２ソレノイドバルブ６０２，第１熱媒体循環路２０１側の第１熱交換器２４１及び第１加熱冷却部材３３１を通るように循環し、第２ポンプ３１２により圧送される熱媒体は、第１ソレノイドバルブ６０１，第２熱媒体循環路２０２側の第１熱交換器２４２，第２ソレノイドバルブ６０２及び第２加熱冷却部材３３２を通るように循環する。これにより、図１で示した場合と同様に、２つの加熱冷却部材をそれぞれ温熱治療または冷却治療に用いることができる。従って、２箇所に対して同時に温熱治療を施すこともできるし、２箇所に対して同時に冷却治療を施すこともできるし、ある箇所に対しては温熱治療を、他の箇所に対しては冷却治療を同時に施すこともできる。
【００５２】
また、第１ソレノイドバルブ６０１と第２ソレノイドバルブ６０２のいずれもＯＮとすれば、図６に示すように、第１ポンプ３１１により圧送される熱媒体は、第１ソレノイドバルブ６０１，第２熱媒体循環路２０２側の第１熱交換器２４２，第２ソレノイドバルブ６０２，第１熱媒体循環路２０１側の第１熱交換器２４１，第１加熱冷却部材３３１を通るように循環する。なお、第２ポンプ３１２により圧送される熱媒体は、第１ソレノイドバルブ６０１を通り、いずれの第１熱交換器を通ることなく、第２加熱冷却部材３３２に送られる。これにより、図２で示した場合と同様に、第１加熱冷却部材３３１のみを温熱治療または冷却治療に用いることができる。そして、熱媒体は、第１熱媒体循環路２０１側の第１熱交換器２４１と、第２熱媒体循環路２０２側の第１熱交換器２４２の両方を通ってから第１加熱冷却部材３３１に送られるので、図５に示す場合と比べて、第１加熱冷却部材３３１を含む循環路を流れる熱媒体を、約２倍の効率で冷却または加熱することができる。
【００５３】
以上のように、配管の接続の仕方を人の手によって変更しなくても、ソレノイドバルブのオンオフを変更するたけで、流路構成を変更することができる。
【００５４】
また、上記実施例では、加熱冷却部材として通水繊維を用いたシートで構成されたものを採用し、温熱冷却装置を医療用（冷却治療用または温熱治療用）に用いる場合を説明した。しかしながら、温熱冷却装置は医療用に限られるものではなく、冷却したい部分（被冷却部）を冷却する、または、加熱したい部分（被加熱部）を加熱するための装置であれば、各種装置に応用できることは言うまでもない。応用例としては、ウオーターベッドを挙げることができる。すなわち、加熱冷却部材をウオーターベッド本体として構成し、ウ
オーターベッド本体の全体を暖めたり、冷やしたり、あるいは、頭部付近のみを冷やしてその他の部分を暖めたりすることが可能なウオーターベッドを実現することができる。このようなウオーターベッドによれば、快適な眠りが可能となるほか、床ずれ対策も可能となる。
【００５５】
更に、上記実施例では、基本的構成を２つ組み合わせた構成を説明したが、これに限らず、３つ以上組み合わせた構成を採用することもできる。そのような構成を採用すれば、より多くの箇所の治療を同時に施すことができると共に、より一層バリエーションに富んだ治療が可能となることは言うまでもない。
【図面の簡単な説明】
【００５６】
【図１】図１は本発明の実施例に係る温熱冷却装置の回路図である。
【図２】図２は本発明の実施例に係る温熱冷却装置の回路図である。
【図３】図３は本発明の実施例に係る温熱冷却装置の基本的な構成部分の回路図である。
【図４】図４は本発明の実施例に係る温熱冷却装置の基本的な構成部分の回路図である。
【図５】図５は本発明の実施例に係る温熱冷却装置の変形例を示す回路図である。
【図６】図６は本発明の実施例に係る温熱冷却装置の変形例を示す回路図である。
【符号の説明】
【００５７】
１００  基本的構成部
１０１  温熱冷却装置
２００  熱媒体循環路
２０１  第１熱媒体循環路
２０２  第２熱媒体循環路
２１０，２１１，２１２  圧縮機
２２０，２２１，２２２  第２熱交換器
２３０，２３１，２３２  減圧機
２４０，２４１，２４２  第１熱交換器
２５０，２５１，２５２  ４方向弁
２６０，２６１，２６２  排熱ファン
３００  熱媒体循環路
３１０  ポンプ
３１１  第１ポンプ
３１２  第２ポンプ
３２０，３２５  タンク
３３０  加熱冷却部材
３３１  第１加熱冷却部材
３３２  第２加熱冷却部材
４００  駆動源
５０１  第１接続部材
５０２  第２接続部材
５０３  第３接続部材
５０４  第４接続部材
５０５  第５接続部材
５０６  第６接続部材
６０１  第１ソレノイドバルブ
６０２  第２ソレノイドバルブ
【図１】
2006230940.tif 000003
【図２】
2006230940.tif 000004
【図３】
2006230940.tif 000005
【図４】
2006230940.tif 000006
【図５】
2006230940.tif 000007
【図６】
2006230940.tif 000008